(57)【要約】      （修正有）【課題】風による損傷を防止することが出来る太陽電池パネルを提供する。【解決手段】ベランダのコンクリートスラブ２の下面２ａに沿う位置（収納位置５Ａ）と、コンクリートスラブ２の外方に突出される位置（突出位置５Ｂ）とを取ることができるように太陽電池パネル５を摺動自在に取り付け、風が強い場合（例えば、台風が接近しているような場合）には太陽電池パネル５を収納位置５Ａに収納することにより、太陽電池パネル５の風による損傷を防止する。【選択図】図４
2013087487.tif 000002
【特許請求の範囲】
【請求項１】
一の水平方向（以下、「第１水平方向」とする）に連設された複数の住戸と、該複数の住戸に沿うように前記第１水平方向に延設されたベランダ及び／又は外廊下と、該ベランダ及び該外廊下の少なくとも一方に配置された太陽電池パネルと、を備えた太陽電池パネル付き集合住宅において、
前記ベランダ又は前記外廊下におけるコンクリートスラブの下面に沿う方向であって前記第１水平方向に略直交する方向（以下、「第２水平方向」とする）に摺動自在となるように摺動部材を支持する摺動ガイド部、
を備え、
前記太陽電池パネルは、前記摺動部材を介して前記摺動ガイド部に支持されることに基づき、前記コンクリートスラブの下面に沿って収納される収納位置と、太陽光を受けるように該コンクリートスラブの外方に突出される突出位置と、を選択的に取り得るように構成された、
ことを特徴とする太陽電池パネル付き集合住宅。
【請求項２】
前記摺動ガイド部の一部であって前記太陽電池パネルが前記突出位置を取るように前記摺動部材を支持する部分を「突出位置ガイド部」と定義した場合に、
該突出位置ガイド部は、前記第２水平方向に突出された略円筒状又は略円柱状の部分であり、
前記摺動部材は、該突出位置ガイド部に外嵌される形状であり、
該摺動部材を介して該突出位置ガイド部に支持される前記太陽電池パネルは、該突出位置ガイド部の軸心を中心として揺動可能となるように構成された、
ことを特徴とする請求項１に記載の太陽電池パネル付き集合住宅。
【請求項３】
前記太陽電池パネルを所定の揺動位置に停止させるためのロック装置、
を備えたことを特徴とする請求項２に記載の太陽電池パネル付き集合住宅。
【請求項４】
前記ロック装置は、前記太陽電池パネルが係止されるように前記集合住宅の外壁に形成された凹部及び／又は凸部である、
ことを特徴とする請求項３に記載の太陽電池パネル付き集合住宅。
【請求項５】
前記ロック装置は、前記集合住宅の外壁に取り付けられた被係止部材と、前記太陽電池パネルに支持されると共に前記被係止部材に係止可能に構成された係止部材と、を有し、
前記係止部材が前記被係止部材に係止されることに基づき、前記太陽電池パネルが所定の揺動位置に停止されるように構成された、
ことを特徴とする請求項３に記載の太陽電池パネル付き集合住宅。
【請求項６】
前記摺動部材には、前記第１水平方向と略平行な方向に延設された棒状の部材（以下、「軸部材」とする）が固設され、
該軸部材には管状部材が回転自在に外嵌され、
前記太陽電池パネルは、前記管状部材に取り付けられることにより前記軸部材の回りに揺動可能となるように構成された、
ことを特徴とする請求項１乃至５のいずれか１項に記載の太陽電池パネル付き集合住宅。
【発明の詳細な説明】
【技術分野】
【０００１】
本発明は、ベランダ及び外廊下の少なくとも一方に太陽電池パネルを備えてなる太陽電池パネル付き集合住宅に関する。
【背景技術】
【０００２】
従来、集合住宅のベランダ等に太陽電池パネルを取り付ける構造については種々のものが提案されている（例えば、特許文献1参照）。
【０００３】
図８(ａ) は、太陽電池パネル付き集合住宅の従来構造の一例を示す斜視図であり、図示の集合住宅においては太陽電池パネル１０１はベランダの外壁面１００に取り付けられている。また、図８(ｂ)
は、太陽電池パネル付き集合住宅の従来構造の他の例を示す断面図であり、符号１０５は、ヒンジ１０６を中心に矢印Ｊの方向に揺動可能となるようにベランダ外壁１０７に取り付けられたチャンネル材を示し、符号１０８は、該チャンネル材１０５を揺動するアクチュエータを示し、符号１０９は、該チャンネル材１０５に載置された回転軸を示し、符号１１０は、矢印Ｋの方向に回転自在となるように該回転軸１０９に取り付けられた太陽電池パネルを示し、符号１１１は、該太陽電池パネル１１０を該回転軸１０９の回りに回転させるためのモーターを示し、符号１１２は、太陽光が照射される方向を検知する太陽光センサーを示す。図８(ｂ)
に示す装置では、太陽光が照射される方向を太陽光センサー１１２により検知して前記アクチュエータ１０８や前記モーター１１１を駆動し、前記太陽電池パネル１１０が自動的に太陽の方向に向くように構成されていた。
【先行技術文献】
【特許文献】
【０００４】
【特許文献１】特開平１０−２１９８１４号公報
【発明の概要】
【発明が解決しようとする課題】
【０００５】
ところで、図８(ａ) や(ｂ) に示す太陽電池パネル１０１，１１０はベランダ外方に常設されているため、風が強い場合（例えば、台風が接近しているような場合）には該太陽電池パネル１０１，１１０が風による損傷を受けるおそれがあった。また、図８(ａ)
に示す太陽電池パネル１０１の場合はベランダ外壁１００に固定されていて太陽の位置に応じて角度を変更できないため、発電効率が悪くなるおそれがあった。一方、図８(ｂ)
に示す太陽電池パネル１１０の場合は太陽光センサー１１２等を必要とするため装置自体が高価になってしまうという問題があった。
【０００６】
本発明は、上述の問題を解消することのできる太陽電池パネル付き集合住宅を提供することを目的とするものである。
【課題を解決するための手段】
【０００７】
請求項１に係る発明は、図３に例示するものであって、一の水平方向（以下、「第１水平方向」とする）（ｘ）に連設された複数の住戸（Ａ０１，…）と、該複数の住戸（Ａ０１，…）に沿うように前記第１水平方向（ｘ）に延設されたベランダ（Ｖ）及び／又は外廊下（Ｕ）と、該ベランダ（Ｖ）及び該外廊下（Ｕ）の少なくとも一方に配置された太陽電池パネル（図１(ａ) の符号５参照）と、を備えた太陽電池パネル付き集合住宅（１）において、
前記ベランダ（Ｖ）又は前記外廊下（Ｕ）におけるコンクリートスラブ（２）の下面（２ａ）に沿う方向であって前記第１水平方向（ｘ）に略直交する方向（以下、「第２水平方向」とする）（ｙ）に摺動自在となるように摺動部材（３）を支持する摺動ガイド部（４）、
を備え、
前記太陽電池パネル（５）は、前記摺動部材（３）を介して前記摺動ガイド部（４）に支持されることに基づき、前記コンクリートスラブ（２）の下面（２ａ）に沿って収納される収納位置（図４(ｂ) の符号５Ａ参照）と、太陽光を受けるように該コンクリートスラブ（２）の外方に突出される突出位置（５Ｂ）と、を選択的に取り得るように構成されたことを特徴とする。
【０００８】
請求項２に係る発明は、請求項１に係る発明において、前記摺動ガイド部（４）の一部であって前記太陽電池パネル（５）が前記突出位置（５Ｂ）を取るように前記摺動部材（３）を支持する部分（図１(ａ) の符号４ｂ参照）を「突出位置ガイド部」と定義した場合に、
該突出位置ガイド部（４ｂ）は、前記第２水平方向（ｙ）に突出された略円筒状又は略円柱状の部分であり、
前記摺動部材（３）は、該突出位置ガイド部（４ｂ）に外嵌される形状であり、
該摺動部材（３）を介して該突出位置ガイド部（４ｂ）に支持される前記太陽電池パネル（５）は、該突出位置ガイド部（４ｂ）の軸心（図５(ａ) の符号Ｍ参照）を中心として揺動可能となるように構成されたことを特徴とする。
【０００９】
請求項３に係る発明は、請求項２に係る発明において、前記太陽電池パネル（５）を所定の揺動位置に停止させるためのロック装置（図７(ａ) (ｂ) の符号８参照）、を備えたことを特徴とする。
【００１０】
請求項４に係る発明は、請求項３に記載の発明において、前記ロック装置は、前記太陽電池パネル（５）が係止されるように前記集合住宅（１）の外壁に形成された凹部及び／又は凸部であることを特徴とする。
【００１１】
請求項５に係る発明は、図６(a) (b) に例示するものであって、請求項３に記載の発明において、前記ロック装置が、前記集合住宅（１）の外壁（１ａ）に取り付けられた被係止部材（７）と、前記太陽電池パネル（５）に支持されると共に前記被係止部材（７）に係止可能に構成された係止部材（図６(b) の符号５ｂ，５ｃ参照）と、を有し、
前記係止部材（５ｂ，５ｃ）が前記被係止部材（７）に係止されることに基づき、前記太陽電池パネル（５）が所定の揺動位置に停止されるように構成されたことを特徴とする。
【００１２】
請求項６に係る発明は、図２(ａ) (ｂ) に例示するものであって、請求項１乃至５のいずれか１項に記載の発明において、前記摺動部材（３）には、前記第１水平方向（ｘ）と略平行な方向に延設された棒状の部材（以下、「軸部材」とする）（９）が固設され、
該軸部材（９）には管状部材（１０）が回転自在に外嵌され、
前記太陽電池パネル（５）は、前記管状部材(１０)に取り付けられることにより前記軸部材（９）の回りに揺動可能となるように構成されたことを特徴とする。
【００１３】
なお、括弧内の番号などは、図面における対応する要素を示す便宜的なものであり、従って、本記述は図面上の記載に限定拘束されるものではない。
【発明の効果】
【００１４】
請求項１に係る発明によれば、風が強い場合（例えば、台風が接近しているような場合）には前記太陽電池パネルを前記収納位置に収納して該パネルの風による損傷を防止することが出来る。
【００１５】
請求項２，３，５及び６に係る発明によれば、前記太陽電池パネルの角度を太陽の位置（季節や時間によって異なる太陽の位置）に応じて変更することが出来、発電効率を高めることが出来る。
【００１６】
請求項４に係る発明によれば、前記集合住宅の外壁の一部をロック装置に兼用することが出来、専用のロック装置を設ける必要が無いので、その分、コストを低減することが出来る。
【図面の簡単な説明】
【００１７】
【図１】図１(ａ) は、太陽電池パネルの取付構造の一例を示す分解断面図であり、同図(ｂ) は、その要部詳細を示す拡大断面図である。
【図２】図２(ａ) は、太陽電池パネルの取付構造の一例を示す平面図であり、同図(ｂ) は、そのＣ−Ｃ端面図である。
【図３】図３は、本発明に係る集合住宅の概略構造の一例を示す水平断面図である。
【図４】図４(ａ) は、太陽電池パネルをベランダ外方に引き出す状態の一例を示す斜視図であり、同図(ｂ) は、太陽電池パネルを引き出した状態の一例を示す斜視図である。
【図５】図５(ａ) は、太陽電池パネルをベランダ外方に引き出した状態の一例を示す斜視図であり、同図(ｂ) は、太陽電池パネルを揺動させた状態の一例を示す斜視図である。
【図６】図６(ａ) は、ロック装置の構造の一例を示す正面図であり、同図(ｂ) は、同図(a) のＨ部を示す拡大斜視図である。
【図７】図７(ａ) は、ロック装置の形状の一例を示す正面図であり、同図(ｂ) は、ロック装置の断面形状を示す拡大断面図である。
【図８】図８(ａ) は、太陽電池パネル付き集合住宅の従来構造の一例を示す斜視図であり、同図(ｂ) は、太陽電池パネル付き集合住宅の従来構造の他の例を示す断面図である。
【発明を実施するための形態】
【００１８】
以下、図１乃至図７に沿って、本発明の実施の形態について説明する。
【００１９】
本発明に係る太陽電池パネル付き集合住宅は、図３に符号１で例示するものであって、一の水平方向（以下、「第１水平方向」とする）ｘに連設された複数の住戸Ａ０１，Ａ０２，…を備えており、該複数の住戸Ａ０１，…に沿うようにベランダＶ及び／又は外廊下Ｕが前記第１水平方向ｘに延設されている。なお、本発明に係る太陽電池パネル付き集合住宅はベランダ及び外廊下の少なくとも一方を備えていれば足り、図３に例示するようにベランダＶ及び外廊下Ｕの両方を備えている集合住宅だけでなく、外廊下の代わりに内廊下を備えている集合住宅（つまり、ベランダＶ及び内廊下を備えた集合住宅）や、外廊下を備えているがベランダを備えていない集合住宅を含む概念である。
【００２０】
そして、図１(ａ) に示すように、前記ベランダＶ及び前記外廊下Ｕの少なくとも一方のコンクリートスラブ２の下面２ａに沿う位置には、該下面２ａに沿う方向であって前記第１水平方向ｘに略直交する方向（以下、「第２水平方向」とする）ｙに摺動自在となるように摺動部材３を支持する摺動ガイド部４が配置されており、該摺動部材３には太陽電池パネル５が取り付けられている。この太陽電池パネル５は、前記摺動部材３を介して前記摺動ガイド部４に支持されることに基づき、図４(ａ)
(ｂ) に示すように、
・  前記コンクリートスラブ２の下面２ａに沿って収納される収納位置５Ａと、
・  太陽光Ｌを受けるように該コンクリートスラブ２の外方（側方）に突出される突出位置５Ｂと、
を選択的に取り得るように構成されている。この場合、前記摺動部材３や前記太陽電池パネル５にはレバー部材（図１(ａ) (ｂ) の符号６参照）を取り付けておいて、該レバー部材６を操作することにより前記太陽電池パネル５を前記収納位置５Ａや前記突出位置５Ｂに手動で移動できるようにすると良い。本発明によれば、風が強い場合（例えば、台風が接近しているような場合）には前記太陽電池パネル５を前記収納位置５Ａに収納して該パネル５の風による損傷を防止することが出来る。
【００２１】
ところで、前記摺動ガイド部４の一部であって前記太陽電池パネル５が前記突出位置５Ｂを取るように前記摺動部材３を支持する部分（図１(ａ) に符号４ｂで示す部分）を「突出位置ガイド部」と定義した場合に、該摺動部材３を介して該突出位置ガイド部４ｂに支持される前記太陽電池パネル５は、該突出位置ガイド部４ｂの軸心（図５(ａ)
の符号Ｍ参照）を中心として揺動可能となるように構成すると良い。また、前記太陽電池パネル５を所定の揺動位置（例えば、図５(ｂ) に示すような揺動位置や、図６(ａ)
に破線や二点鎖線で示すような揺動位置）に停止させるためのロック装置を設けておくと良い。そのように構成した場合には、該太陽電池パネル５の角度を太陽の位置（季節や時間によって異なる太陽の位置）に応じて変更することが出来、発電効率を高めることが出来る。該太陽電池パネル５の揺動は上述したレバー部材６を操作することにより手動で行えば良い（図６(ａ)
の矢印Ｐ，Ｑ参照）。太陽電池パネル５を手動で揺動するようにした場合には、図８(ｂ) に示すように太陽電池パネル１１０の角度を自動調整する場合に比べて部品点数を低減することが出来、装置自体を安価にすることができる。
【００２２】
なお、前記集合住宅１の外壁１ａに取り付けた部材（以下、“被係止部材”とする）に、前記太陽電池パネル５に支持された部材（以下、“係止部材”とする）を係止可能に構成しておいて、該係止部材が該被係止部材に係止されることに基づき前記太陽電池パネル５が所定の揺動位置に停止されるように構成しても良い。この場合、該被係止部材と該係止部材とがロック装置を構成することとなる。前記被係止部材としては、図６(b) に符号７で示すようなレール部材（例えば、いわゆる角型のレール部材）であって、図６(a) に示すように円弧状に配置したものを挙げることが出来る。そして、前記係止部材は、図６(b)
に詳示するように、ネジ部材５ａの雄ねじ部Ｅに螺合されてなる第１ナット部材５ｂ及び第２ナット部材５ｃにより構成すると良い。そして、前記レール部材７の一部を挟み込む位置に前記第１ナット部材５ｂ及び第２ナット部材５ｃを配置しておき、前記第１ナット部材５ｂを回転させて前記第２ナット部材５ｃの側に締め付けることにより該ナット部材５ｂ、５ｃを前記レール部材７に係止させるようにすると良い。この場合、前記ネジ部材５ａは、太陽電池パネル５側の部材（例えば、後述する軸部材９）に取り付けておくと良い。また、前記第１ナット部材５ｂには、不図示のチェーンを巻き掛けておいて、人が該チェーンを引っ張ることにより該第１ナット部材５ｂが締め付け方向又は緩み方向に回転されるようにすると良い。
【００２３】
なお、図６(ａ) に示す例では、前記摺動部材３を中心として左右対称となるように太陽電池パネル５が配置され、同じく左右対称となるようにレール部材７が配置されているが、もちろんこれに限られるものではない。例えば、前記摺動部材３を中心として左右対称となるように太陽電池パネル５は配置するがレール部材７は両側に配置するのではなく片側だけに（例えば、前記摺動部材３の右側だけに）配置するようにしても、或いは、太陽電池パネル５及びレール部材７の両方を左右対称ではなく片側だけに（例えば、前記摺動部材３の右側だけに）配置するようにしても良い。
【００２４】
いま、前記摺動ガイド部４の一部であって前記太陽電池パネル５が前記収納位置５Ａを取る際に前記摺動部材３を支持する部分（図１(ａ) に符号４ａで示す部分）を「収納位置ガイド部」と定義した場合に、該収納位置ガイド部４ａ及び前記突出位置ガイド部４ｂを前記第２水平方向ｙに突出された棒状（略円筒状又は略円柱状）とし、前記摺動部材３は該収納位置ガイド部４ａ及び該突出位置ガイド部４ｂに外嵌される形状（例えば、図２(ｂ)
に示すような略筒状）にすると良い。
【００２５】
一方、前記太陽電池パネル５の端縁が係止されるような凹部（図７(ａ) (ｂ) の符号８参照）を前記集合住宅１の外壁１ａ（つまり、揺動される前記太陽電池パネル５の端縁が近接する外壁）に形成しておいて、該凹部８に前記太陽電池パネル５の端縁を係止させることにより該凹部８を前記ロック装置として使用しても良い。また、凹部８ではなく凸部（不図示）を形成しておいて、該凸部に前記太陽電池パネル５の端縁を係止させることにより該凸部を前記ロック装置として使用しても良い。そのようにした場合には、前記集合住宅１の外壁１ａの一部をロック装置に兼用することが出来、専用のロック装置（専用の部材で構成するロック装置）を設ける必要が無いので、その分、コストを低減することが出来る。また、前記レバー部材６を操作して図７(ｂ)
の矢印Ｆ及びＧの方向に前記太陽電池パネル５を移動させれば該パネル５のロック／アンロックを行うことが出来るので、ロック／アンロックの操作も簡単に行うことができる。一方、上述の凹部８（或いは凸部）は、図７(ａ)
に符号Ｄで示すように長く設けると良い。上述の凹部８（或いは凸部）を長く設ければ設ける程押圧力（前記太陽電池パネル５が前記凹部８や凸部から受ける応力）を小さく出来、前記太陽電池パネル５のロックを確実なものとすることが出来る。
【００２６】
また一方、図２(ａ) に示すように、前記第１水平方向ｘと略平行な方向に延設された棒状の部材（以下、「軸部材」とする）９を前記摺動部材３に固設しておいて、該軸部材９には管状部材１０を回転自在に外嵌しておき、前記太陽電池パネル５が、前記管状部材１０に取り付けられることにより前記軸部材９の回りに揺動可能となるように構成すると良い。そのようにした場合には、前記太陽電池パネル５は前記軸部材９を中心とした回転が可能となり、該太陽電池パネル５の角度を太陽の位置（季節や時間によって異なる太陽の位置）に応じて変更することが出来、発電効率を高めることが出来る。
【符号の説明】
【００２７】
１              太陽電池パネル付き集合住宅
１ａ            集合住宅の外壁
２              コンクリートスラブ
２ａ            コンクリートスラブの下面
３              摺動部材
４              摺動ガイド部
４ｂ            突出位置ガイド部
５              太陽電池パネル
５Ａ            収納位置
５Ｂ            突出位置
８              ロック装置
９              軸部材
１０            管状部材
Ａ０１，…        住戸
Ｍ              突出位置ガイド部の軸心
Ｕ              外廊下
Ｖ              ベランダ
ｘ              第１水平方向
ｙ              第２水平方向
【図１】
2013087487.tif 000003
【図２】
2013087487.tif 000004
【図３】
2013087487.tif 000005
【図４】
2013087487.tif 000006
【図５】
2013087487.tif 000007
【図６】
2013087487.tif 000008
【図７】
2013087487.tif 000009
【図８】
2013087487.tif 000010